(57)【特許請求の範囲】
【請求項１】
病室のベッド毎に設置されて看護師を呼び出す機能を備えた子機と、廊下において前記子機からの呼び出しを表示する廊下灯と、ナースステーションに設置されて前記子機からの呼び出しを報音し、看護師が応答するための機能を備えた親機と、前記廊下灯と前記親機の間の通信を制御する制御装置とを有するナースコールシステムであって、
患者が携行してＩＤ信号を含む位置通知信号を無線発信する複数の発信機と、病院内の適宜位置に設置され、前記位置通知信号を受信する複数の受信機とを具備し、
前記親機或いは制御装置が、前記子機の場所情報、前記受信機の場所情報、そして個々の前記子機と前記発信機を関連付けた子機・発信機対応テーブル等の呼出元情報を記憶する呼出元情報記憶部、病棟レイアウト図を記憶するレイアウト記憶部を備え、
更に前記親機が、患者情報を表示するためのディスプレイと、前記位置通知信号を受信した前記受信機の場所情報と当該受信機が受信した前記位置通知信号に含まれるＩＤ信号に関連する前記子機の場所情報とを前記呼出元情報記憶部から入手し、双方の場所を前記病棟レイアウト図に重ねて前記ディスプレイに表示する表示制御部とを備えたことを特徴とするナースコールシステム。
【請求項２】
前記親機は、前記ディスプレイに表示された前記受信機の場所と前記子機の場所との距離が、所定の距離より離れていないか判断して通知制御する判定通知部を有し、
前記判定通知部は、離れていると判断したら警報音の報音及び前記ディスプレイによる警報情報の表示のうち少なくとも一方の警報動作を実施することを特徴とする請求項１記載のナースコールシステム。
【請求項３】
前記親機或いは制御装置は、警報動作の開始を判断する前記受信機と前記子機との距離を発信機毎に設定でき、その設定を記憶する距離記憶部を有し、
前記判定通知部は、発信機毎に設定された距離に基づいて前記警報動作を実施することを特徴とする請求項２記載のナースコールシステム。
【請求項４】
前記親機或いは制御装置は、発信機毎に前記警報動作をする／しないを設定でき、その設定を記憶する警報設定記憶部を有し、
前記判定通知部は、前記設定に従い警報動作を実施することを特徴とする請求項２又は３記載のナースコールシステム。
【請求項５】
前記発信機は、異常発生を通知するための通知ボタンを備えて、前記通知ボタン操作によりＩＤ信号を含み前記位置通知信号とは異なる異常通知信号を発信し、
前記親機は、前記受信機が前記異常通知信号を受信したら、異常発生を報音通知する異常通知制御部を有すると共に、前記表示制御部が、前記異常通知信号を受信した受信機の場所情報と、ＩＤ信号に関連する子機の場所情報とを前記呼出元情報記憶部から入手し、双方の場所を前記病棟レイアウト図に重ねて前記ディスプレイに表示することを特徴とする請求項１乃至４の何れかに記載のナースコールシステム。
【請求項６】
病室のベッド毎に設置されて看護師を呼び出す機能を備えた子機と、廊下において前記子機からの呼び出しを表示する廊下灯と、ナースステーションに設置されて前記子機からの呼び出しを報音し、看護師が応答するための機能を備えた親機と、前記廊下灯と前記親機の間の通信を制御する制御装置とを有するナースコールシステムであって、
患者が携行し、発信操作を受けてＩＤ信号を含む異常通知信号を無線発信する複数の発信機と、病院内の適宜位置に設置され、前記異常通知信号を受信する複数の受信機とを具備し、
前記親機或いは制御装置が、前記子機の場所情報、前記受信機の場所情報、そして個々の前記子機と前記発信機を関連付けた子機・発信機対応テーブル等の呼出情報を記憶する呼出元情報記憶部、病棟レイアウト図を記憶するレイアウト記憶部を備え、
更に前記親機が、患者情報を表示するためのディスプレイと、前記異常通知信号を受信した前記受信機の場所情報と当該受信機が受信した前記位置通知信号に含まれるＩＤ信号に関連する前記子機の場所情報とを前記呼出元情報記憶部から入手し、双方の場所を前記病棟レイアウト図に重ねて前記ディスプレイに表示する表示制御部とを備えたことを特徴とするナースコールシステム。
【請求項７】
前記親機或いは前記制御装置は、患者氏名，性別，年齢等の患者管理データと前記子機とを関連付けて記憶する患者情報記憶部を有し、
前記表示制御部は、前記受信機の場所及び関連する子機の場所の表示に合わせて、前記患者情報記憶部から関連する患者管理データを読み取って、前記ディスプレイに表示することを特徴とする請求項１乃至６の何れかに記載のナースコールシステム。
【請求項８】
前記親機或いは前記制御装置は、患者氏名，性別，年齢等の患者管理データと前記子機とを関連付けて記憶する患者情報記憶部を有する一方、前記親機は、前記ディスプレイにタッチパネルから成る操作部を有し、
前記表示制御部は、表示された前記受信機の場所及び前記子機の場所のうち何れか一方がタッチ操作されると、前記患者情報記憶部から関連する患者管理データを読み取って、前記ディスプレイに表示することを特徴とする請求項１乃至６の何れかに記載のナースコールシステム。
【請求項９】
前記表示制御部は、前記患者管理データを前記ディスプレイの一部にＰＯＰＵＰ表示することを特徴とする請求項７又は８記載のナースコールシステム。
【請求項１０】
前記親機或いは前記制御装置は、患者の救護区分、医師名、看護師名、診療科目名等の医療・看護データを記憶する医療・看護データ記憶部を有し、
前記表示制御部は、前記患者管理データと共に、前記医療・看護データを前記ディスプレイに表示することを特徴とする請求項７乃至９の何れかに記載のナースコールシステム。
【請求項１１】
前記表示制御部は、前記医療・看護データを前記ディスプレイの一部にＰＯＰＵＰ表示することを特徴とする請求項１０記載のナースコールシステム。
【請求項１２】
前記受信機は、前記廊下灯に組み込まれて成ることを特徴とする請求項１乃至１１の何れかに記載のナースコールシステム。
【発明の詳細な説明】
【技術分野】
【０００１】
本発明は、入院患者が看護師を呼び出すためのナースコールシステムに関し、詳しくは入院患者の呼び出しに応答できると共に、患者が病室から出て行っても患者の居場所を把握できるナースコールシステムに関する。
【背景技術】
【０００２】
病室の患者からの呼び出しに応答する機能に加えて、徘徊等で病室から抜け出した患者を管理できるナースコールシステムがある。例えば、特許文献１では、患者にＩＤ信号を発信する発信機を携行させて、この発信信号を異なる複数の場所に設けた受信機により受信することで、所定のエリアから患者が居なくなった場合や、トイレ等で患者が倒れる等の不測の事態を検知して速やかな対応を可能とした。
【先行技術文献】
【特許文献】
【０００３】
【特許文献１】特開２００９−２８４４４号公報
【発明の概要】
【発明が解決しようとする課題】
【０００４】
しかしながら、上記特許文献１のナースコールシステムは、徘徊や患者の異常を検知して親機において報知させることができたが、表示された徘徊者等の情報から患者が本来居るべき病室或いはベッド位置を看護師が把握するには、表示された患者氏名等から探し出さなければならなかった。
一方で、上記従来のナースコールシステムの場合、発信機は位置を通知するための信号を常時を発信する構成であるため、ベッドを離れている患者が容体の急変等で看護師に異常発生を通知したい場合に呼び出しに使用することができず、このような病室外での患者の要望に応える為には、別途携帯型の呼出装置を携行させなければならなかった。
【０００５】
そこで、本発明はこのような問題点に鑑み、発信機の発信場所情報と患者が本来在室しているべき病室のベッド位置情報の双方を同時に表示し、更に徘徊者の検知と病室外の患者から異常通知操作の双方を実現できるナースコールシステムを提供することを目的としている。
【課題を解決するための手段】
【０００６】
上記課題を解決する為に、請求項１の発明は、病室のベッド毎に設置されて看護師を呼び出す機能を備えた子機と、廊下において子機からの呼び出しを表示する廊下灯と、ナースステーションに設置されて子機からの呼び出しを報音し、看護師が応答するための機能を備えた親機と、廊下灯と親機の間の通信を制御する制御装置とを有するナースコールシステムであって、患者が携行してＩＤ信号を含む位置通知信号を無線発信する複数の発信機と、病院内の適宜位置に設置され、位置通知信号を受信する複数の受信機とを具備し、親機或いは制御装置が、子機の場所情報、受信機の場所情報、そして個々の子機と発信機を関連付けた子機・発信機対応テーブル等の呼出元情報を記憶する呼出元情報記憶部、病棟レイアウト図を記憶するレイアウト記憶部を備え、更に親機が、患者情報を表示するためのディスプレイと、位置通知信号を受信した受信機の場所情報と当該受信機が受信した位置通知信号に含まれるＩＤ信号に関連する子機の場所情報とを呼出元情報記憶部から入手し、双方の場所を病棟レイアウト図に重ねてディスプレイに表示する表示制御部とを備えたことを特徴とする。
この構成によれば、親機のディスプレイに発信機からの位置通知信号を受信した受信機の場所と、関連する子機の場所が同時に表示される。而も、病棟レイアウト上に表示されるので分かり易く表示され、対応する看護師は双方の場所を容易に把握することができる。そして、ベッドからのナースコールと徘徊監視を一体のシステムとして構成するので、システムを安価に構築できる。
【０００７】
請求項２の発明は、請求項１に記載の構成において、親機は、ディスプレイに表示された受信機の場所と子機の場所との距離が、所定の距離より離れていないか判断して通知制御する判定通知部を有し、判定通知部は、離れていると判断したら警報音の報音及びディスプレイによる警報情報の表示のうち少なくとも一方の警報動作を実施することを特徴とする。
この構成によれば、ベッドから一定の距離離れたら親機が報知動作するので、例えばトイレ等近い場所の移動に対しては通知しない。よって、誤動作や頻繁な報知動作を無くすことができる。
【０００８】
請求項３の発明は、請求項２に記載の構成において、親機或いは制御装置は、警報動作の開始を判断する受信機と子機との距離を発信機毎に設定でき、その設定を記憶する距離記憶部を有し、判定通知部は、発信機毎に設定された距離に基づいて警報動作を実施することを特徴とする。
この構成によれば、患者に応じて管理する距離を変えることができるので、患者の動きを管理し易く看護師の負担を軽減することができる。
【０００９】
請求項４の発明は、請求項２又は３に記載の構成において、親機或いは制御装置は、発信機毎に警報動作をする／しないを設定でき、その設定を記憶する警報設定記憶部を有し、判定通知部は、設定に従い警報動作を実施することを特徴とする。
この構成によれば、患者の状況に応じて報知動作を制御でき、例えば設定された範囲外に検査等で患者が移動した場合等に報知しないよう設定でき、不要な通報が発生することがない。
【００１０】
請求項５の発明は、請求項１乃至４の何れかに記載の構成において、発信機は、異常発生を通知するための通知ボタンを備えて、通知ボタン操作によりＩＤ信号を含み位置通知信号とは異なる異常通知信号を発信し、親機は、受信機が異常通知信号を受信したら、異常発生を報音通知する異常通知制御部を有すると共に、表示制御部が、異常通知信号を受信した受信機の場所情報と、ＩＤ信号に関連する子機の場所情報とを呼出元情報記憶部から入手し、双方の場所を病棟レイアウト図に重ねてディスプレイに表示することを特徴とする。
この構成によれば、発信機を携帯型呼出ボタンとして使用でき、徘徊検知と患者のボタン操作による異常通知とを１つの発信機で実現でき、３つの通知機能を備えたナースコールシステムを安価に構成することができる。
【００１１】
請求項６の発明は、病室のベッド毎に設置されて看護師を呼び出す機能を備えた子機と、廊下において子機からの呼び出しを表示する廊下灯と、ナースステーションに設置されて子機からの呼び出しを報音し、看護師が応答するための機能を備えた親機と、廊下灯と親機の間の通信を制御する制御装置とを有するナースコールシステムであって、患者が携行し、発信操作を受けてＩＤ信号を含む異常通知信号を無線発信する複数の発信機と、病院内の適宜位置に設置され、異常通知信号を受信する複数の受信機とを具備し、親機或いは制御装置が、子機の場所情報、受信機の場所情報、そして個々の子機と発信機を関連付けた子機・発信機対応テーブル等の呼出情報を記憶する呼出元情報記憶部、病棟レイアウト図を記憶するレイアウト記憶部を備え、更に親機が、患者情報を表示するためのディスプレイと、異常通知信号を受信した受信機の場所情報と当該受信機が受信した位置通知信号に含まれるＩＤ信号に関連する子機の場所情報とを呼出元情報記憶部から入手し、双方の場所を病棟レイアウト図に重ねてディスプレイに表示する表示制御部とを備えたことを特徴とする。
この構成によれば、発信機を操作して看護師に異常を通知できるので、発信機を携帯型呼出ボタンとして使用することができ、患者は安心してベッドを離れることができる。また、親機のディスプレイに発信機からの異常通知信号を受信した受信機の場所と、関連する子機の場所が表示され、而も病棟レイアウト上に表示されるので、分かり易く表示され、対応する看護師は双方の場所を容易に把握することができる。
そして、ベッドからのナースコールと出かけた先からの異常通知を一体のシステムとして構成するので、システムを安価に構築できる。
【００１２】
請求項７の発明は、請求項１乃至６の何れかに記載の構成において、親機或いは制御装置は、患者氏名，性別，年齢等の患者管理データと子機とを関連付けて記憶する患者情報記憶部を有し、表示制御部は、受信機の場所及び関連する子機の場所の表示に合わせて、患者情報記憶部から関連する患者管理データを読み取って、ディスプレイに表示することを特徴とする。
この構成によれば、場所情報の表示に合わせて、関連する患者の氏名，性別，年齢等の患者管理データが表示されるので、対応する看護師は、患者に合わせて最適な行動或いは処置を講ずることができ、看護師の負担を軽減できる。
【００１３】
請求項８の構成は、請求項１乃至６の何れかに記載の構成において、親機或いは制御装置は、患者氏名，性別，年齢等の患者管理データと子機とを関連付けて記憶する患者情報記憶部を有する一方、親機は、ディスプレイにタッチパネルから成る操作部を有し、表示制御部は、表示された受信機の場所及び子機の場所のうち何れか一方がタッチ操作されると、患者情報記憶部から関連する患者管理データを読み取って、ディスプレイに表示することを特徴とする。
この構成によれば、必要に応じて場所表示部をタッチ操作すれば、関連する患者の氏名，性別，年齢等の患者管理データが表示されるので、対応する看護師は患者に合わせて最適な行動或いは処置を講ずることができ、看護師の負担を軽減できる。また、最初から患者管理データは表示されないので、ディスプレイ上で患者の場所を把握し易い。
【００１４】
請求項９の発明は、請求項７又は８に記載の構成において、表示制御部は、患者管理データをディスプレイの一部にＰＯＰＵＰ表示することを特徴とする。
この構成によれば、患者管理データはディスプレイの一部にＰＯＰＵＰ表示されるので、患者位置を引き続き表示させることができ、看護師は対応し易い。
【００１５】
請求項１０の発明は、請求項７乃至９の何れかに記載の構成において、親機或いは制御装置は、患者の救護区分、医師名、看護師名、診療科目名等の医療・看護データを記憶する医療・看護データ記憶部を有し、表示制御部は、患者管理データと共に、医療・看護データをディスプレイに表示することを特徴とする。
この構成によれば、患者管理データの表示に合わせて救護区分、医師名、看護師名、診療科目名等の患者の医療・看護データも表示するので、対応する看護師は患者に合わせて最適な行動或いは処置を講ずることができ、看護師の負担を軽減できる。
【００１６】
請求項１１の発明は、請求項１０に記載の構成において、表示制御部は、医療・看護データをディスプレイの一部にＰＯＰＵＰ表示することを特徴とする。
この構成によれば、医療・看護データはディスプレイの一部にＰＯＰＵＰ表示されるので、患者位置を引き続き表示させることができ、看護師は対応し易い。
【００１７】
請求項１２の発明は、請求項１乃至１１の何れかに記載の構成において、受信機は、廊下灯に組み込まれて成ることを特徴とする。
この構成によれば、受信機を別途設置する必要がなく効率良く設置できる。また、廊下灯は病室毎に等間隔で設置されているため、受信機を効果的に配置できる。
【発明の効果】
【００１８】
本発明によれば、親機のディスプレイに発信機から発信される位置通知信号や異常通知信号を受信した受信機の場所と、関連する子機の場所とが病棟レイアウト図上に同時に表示されるので、看護師は双方の場所を容易に把握することができる。そして、徘徊者の検知と病室外の患者から異常通知操作の双方を１つの発信機により実現でき、システムを安価に構成できる。
【図面の簡単な説明】
【００１９】
【図１】本発明の実施形態の一例を示すナースコールシステムの構成図である。
【図２】廊下灯、制御装置、親機の夫々の要部をブロック図で示した構成図である。
【図３】患者位置情報を表示した親機ディスプレイの表示説明図である。
【発明を実施するための形態】
【００２０】
以下、本発明を具体化した実施の形態を、図面に基づいて詳細に説明する。図１は本発明に係るナースコールシステムの構成図を示している。図１において、１は病室のベッド毎に設置されて看護師を呼び出す機能を備えた子機、２は廊下において病室毎に子機１からの呼び出しを表示する廊下灯、３はナースステーションに設置されて子機１からの呼び出しを報音し、看護師が応答するための機能を備えた親機、４は廊下灯２と親機３の間の通信を制御する制御装置、５は複数備えられて患者が携行する発信機である。子機１は病室毎に廊下灯２に接続され、廊下灯２は廊下灯幹線Ｌ１により制御装置４に接続され、親機３は伝送線Ｌ２により制御装置４に接続されている。
【００２１】
子機１は、壁面に設置されてマイク及びスピーカを備えた埋込子機１ａと、この埋込子機１ａに接続されてベッド上で患者が呼出操作するための呼出握りボタン１ｂとで構成されている。
【００２２】
図２は廊下灯２、親機３、制御装置４、発信機５の要部をブロック図で示した構成説明図であり、この図を基に廊下灯２、親機３、制御装置４、発信機５を具体的に説明する。廊下灯２は、発信機５からの発信信号を受信する受信部２１、廊下灯２を制御する廊下灯ＣＰＵ２２、子機１及び制御装置４と通信するための廊下灯ＩＦ２３等を備え、図１に示すように患者氏名等の患者情報を表示する患者情報表示部２４、子機１からの呼び出し（ナースコール）発生を表示する呼出表示部２５を備えている。
【００２３】
親機３は、病棟レイアウト図や子機１を操作（ナースコール呼出）した患者情報等を表示するディスプレイ３１、親機３の各部を制御する親機ＣＰＵ３２と、制御装置４と通信を行なう親機ＩＦ３３、ディスプレイ３１上に設けられたタッチパネルから成る操作部３４、ナースコールした患者と通話するためのハンドセット等の通話部（図１に示す）３５等を備えている。
【００２４】
制御装置４は、患者情報等を記憶する記憶部４１と、制御装置４を制御する制御装置ＣＰＵ４２、親機３や廊下灯２と通信を行なうための制御装置ＩＦ４３等を備えている。記憶部４１は、具体的に子機１の場所情報と、受信部２１の場所情報である廊下灯２の場所情報と、子機１と発信機５のＩＤを関連付けた子機・発信機対応テーブルとを記憶する呼出元情報記憶部、病棟レイアウトを記憶するレイアウト記憶部、患者氏名，性別，年齢等の患者管理データと子機１とを関連付けて記憶する患者情報記憶部  患者の救護区分、医師名、看護師名、診療科目名等の医療・看護データを記憶する医療・看護データ記憶部、発信機５毎に警報動作を開始する距離を記憶する距離記憶部、発信機５毎の警報動作する／しないを記憶する警報設定記憶部等で構成されている。
尚、廊下灯２に内蔵された受信部２１が、廊下灯２とは独立した受信機として設置されている場合は、記憶部４１は廊下灯２の場所情報ではなく発信機の場所情報を記憶する。
【００２５】
発信機５は、患者が異常発生を看護師に通知するための通知ボタン５１、発信機自身のＩＤ情報を記憶するメモリ５２、信号を無線発信する発信部５３、所定の間隔でＩＤ信号（位置通知信号）を発信制御すると共に、発信機５全体を制御する発信機ＣＰＵ５４等を備えている。発信機ＣＰＵ５４は、例えば１０秒間隔等の一定のタイミングでＩＤ信号を発信する一方、通知ボタン５１が操作されたら、ＩＤ信号に緊急であることを示すタグを加した緊急信号をボタン操作時に発信する。尚、このＩＤ信号や緊急信号の発信は、例えばｚｉｇｂｅｅ（登録商標）或いはＢｌｕｅｔｏｏｔｈ（登録商標）等の通信規格により実施される。
【００２６】
このように構成されたナースコールシステムの動作を次に説明する。まず、子機１からナースコールした場合の動作を説明する。病室に居る患者がベッド近傍に配置されている子機１を操作して看護師の呼び出しが成されると、呼出信号が廊下灯２、制御装置４を介して親機３に伝送され、親機３において呼出音が鳴動される。同時に、呼出操作した患者情報がディスプレイ３１にＰＯＰＵＰ表示される。
具体的に、制御装置４は子機１から送出された呼出信号を受けて、制御装置ＣＰＵ４２が子機１に関連する患者管理データや医療看護データを記憶部４１から読み取り、親機３に呼出信号と共に伝送する。
【００２７】
一方、親機３は待受状態で個々のベッド位置を明示した病棟レイアウト図をディスプレイ３１に表示しており、呼出信号を受けた親機ＣＰＵ３２は、病棟レイアウト図中の患者のベッド位置（ベッドマーク）を点滅等させて子機１の場所を通知する。引き続き伝送された患者の患者管理データ、及び医療・看護データ等の患者県連データをＰＯＰＵＰ表示する。この結果、ナースコールした患者の場所、患者に関するデータが表示されるため、看護師は対応し易い。
【００２８】
次に、発信機５を携行している患者が病室から出て行った場合の動作を説明する。発信機５から定期的に発信されるＩＤ信号は、廊下灯２の受信部２１において受信され、廊下灯ＣＰＵ２２が制御装置４に伝送する。
ＩＤ信号を受信した制御装置４は、制御装置ＣＰＵ４２が記憶部４１から発信機５に関連付けられている子機１の位置、受信した廊下灯２の場所情報を呼出元情報として親機３に伝送する。更に、子機１に関連付けられた患者管理データ、医療看護データ情報を読み取り、患者関連情報として親機３に伝送する。尚、複数の廊下灯２が同一の発信機５のＩＤ信号を受信した場合は、制御装置ＣＰＵ４２が最も強い電波を受信した廊下灯２を特定し、その廊下灯２をＩＤ信号を受信した廊下灯２とする。
【００２９】
制御装置４から呼出元情報を受信した親機３は、親機ＣＰＵ３２がディスプレイ３１に先ずそれらの場所情報を表示する。図３は呼出元情報に加えて患者関連情報を表示した親機３のディスプレイ３１の画面図を示している。図３において、Ｂは病棟レイアウト図であり、内部に病室Ｂ１、ベッド位置を示すベッドマークＢ２が明示されている。このベッドマークＢ２の長方形枠内には、制御装置４の記憶部４１から読み取った患者氏名が表示（図示せず）されている。また、Ｍ３はＰＯＰＵＰ表示された患者関連情報を示している。尚、病棟レイアウトＢは、待受状態でディスプレイ３１に表示されている。
【００３０】
図３に示すように、病棟レイアウトＢの表示が待受状態から継続され、その上に患者位置情報が表示される。具体的に、病棟レイアウトＢ内に患者が居るべきベッド位置（子機１の位置）、及び発信機５が発したＩＤ信号を受信した廊下灯２の位置が夫々四角のマークＭ１、丸のマークＭ２で表示される。そして、表示されたマークＭ１，Ｍ２をタッチ操作、或いはマウスのクリック操作により、関連する患者の患者管理データ及び医療・看護データ等の患者関連情報Ｍ３がＰＯＰＵＰによりディスプレイ３１の一部に大きく表示される。
【００３１】
尚、ベッド位置の表示は、マーク表示ではなく、上記子機１からの呼び出しと同様に、ベッドマークＢ２自体を点滅等させて通知しても良い。
【００３２】
更に、親機ＣＰＵ３２は、表示された２つのマークＭ１，Ｍ２の距離が予め設定された距離を越えたら、警報制御する。例えば、直線距離で２０メートルを越えたかどうか判断し、２０メートルを越えたら患者が徘徊していると判断して通常の呼出音と異なる警報音を親機３から報音させる。
【００３３】
但し、記憶部４１の警報設定記憶部において警報しないとして設定されている発信機５である場合は、親機ＣＰＵ３２はＩＤ信号を受信した廊下灯２とＩＤ信号に関連する子機１との距離が、設定されている距離を越えていてもその信号を無視して警報を発しない。また、記憶部４１の距離記憶部において、発信機５毎に警報動作を開始する距離が設定されており、患者に応じて管理する移動距離を変更でき、患者毎に報知動作を管理できる。例えば、検査等で設定された範囲外に患者が移動した場合等に報知しないよう設定すれば不要な通報が発生することがないし、出歩くこと自体が問題となる患者に対しては、距離設定を短くすることができ、患者の動きを管理し易く看護師の負担を軽減することができる。
【００３４】
このように、親機３のディスプレイ３１に発信機５から発信された位置通知信号を受信した廊下灯２の場所と、関連する子機１の場所が表示され、而も病棟レイアウト図Ｂ上に表示されるので分かり易く表示され、対応する看護師は双方の場所を容易に把握することができる。また、ベッドから一定の距離離れたら親機３が報知動作するので、例えばトイレ等近い場所の移動に対しては通知しない。よって、誤動作や頻繁な報知動作を無くすと共に徘徊者を良好に検知することができ、看護師の負担を軽減できる。
そして、ベッドからのナースコールと徘徊監視を一体のシステムとして構成するので、システムを安価に構築できる。
【００３５】
また、必要に応じて場所を示す四角いマークＭ１、或いは丸いマークＭ２をタッチ操作すれば、関連する患者の氏名，性別，年齢等の患者管理データが表示されるので、対応する看護師は患者に合わせて最適な行動或いは処置を講ずることができ、看護師の負担を軽減できる。また、最初から患者管理データは表示されないので、ディスプレイ３１上で患者の場所を把握し易い。
更に、患者管理データの表示に合わせて救護区分、医師名、看護師名、診療科目名等の患者の医療・看護データも表示されるため、対応する看護師は患者に合わせて最適な行動或いは処置を講ずることができ、看護師の負担を軽減できる。そして、ＰＯＰＵＰ表示によりディスプレイ３１の一部に出画させることで、患者位置を引き続き表示させることができ、看護師は対応し易い。
また、廊下灯２に受信部２１を内蔵させることで、受信機を別途設置する必要がなく効率良く設置できる。また、廊下灯２は病室毎に等間隔で設置されているため、受信機を効果的に配置できる。
【００３６】
尚、患者管理データや医療・看護データ等の患者関連情報は、病棟レイアウト表示の少なくとも一部を残すように、或いは縮小して表示させて、ディスプレイの一部を使用して表示すれば患者の場所を引き続き確認することが可能となるため、ＰＯＰＵＰに限らずマルチウィンドウにより表示させるとよい。
【００３７】
次に、発信機５の通知ボタン５１が操作された場合の動作を説明する。通知ボタン５１が操作されたら、異常通知信号が生成されて発信される。この異常通知信号は、例えば上記ＩＤ信号に異常発生を示すフラグが追加されて送信され、この信号を受信部２１で受信した廊下灯２は、受信した異常通知信号を制御装置４に通知する。
異常通知信号を受けた制御装置４は、制御装置ＣＰＵ４２が関連する情報を記憶部４１から読み出し、異常通知信号と共に親機３に伝送する。
【００３８】
異常検知信号を受信した親機３は、親機ＣＰＵ３２が上記ＩＤ信号を受信した場合と同様に、図３に示すように患者の位置である廊下灯の位置、及び関連するベッドの位置がマークＭ１，Ｍ２で表示し、このマークＭ１或いはマークＭ２のタッチ操作等の表示操作により患者関連情報をＰＯＰＵＰ表示する。ただし、通常の呼出音及び徘徊検知を報知する報知音とは異なる通知音により異常通知が発生したことを報音する。
【００３９】
このように、発信機５を操作して看護師に異常を通知できるので、発信機５を携帯型呼出ボタンとして使用することができ、患者は安心してベッドを離れることができる。また、看護師に対して通常の呼び出しと異なり、緊急性が高い呼び出しであること通知することができる。
そして、親機３のディスプレイ３１に発信機５からの異常通知信号を受信した廊下灯２の場所と、関連する子機１の場所が表示され、而も病棟レイアウト図Ｂ上に表示されるので、分かり易く表示され、対応する看護師は双方の場所を容易に把握することができる。
更に、徘徊者を検知する発信機５を携帯型呼出ボタンとして使用するので、徘徊検知と異常通知とを１つの発信機で実現でき、子機１を使用した呼び出し、徘徊検知、病室外での患者からの異常通知の３つの通知機能を備えたナースコールシステムを安価に構成することができる。
【００４０】
尚、上記実施形態は、発信機５が徘徊検知と異常通知を一体化したシステム構成を説明したが、何れか一方の機能のみ備えたシステムであっても、発信機５の位置となる廊下灯２の位置と患者のベッド位置となる子機１の位置の双方を同時にディスプレイ３１に表示し、更に患者に関連する情報を１つの画面で表示することで、対応する看護師は、目線を大きく移動することなく必要な情報を得ることができるので、徘徊や異常通知の対応に対する負担を軽減できる。
【００４１】
また、制御装置４の記憶部４１に、呼出元情報記憶部、レイアウト記憶部、患者情報記憶部、医療・看護データ記憶部、警報設定記憶部、距離記憶部を一括して設けたが、親機３にこの全て或いは一部の記憶部を設けても良いし、管理データ記憶部と医療・看護データ記憶部を別々のものとして記載したが、これらのデータを一体として１つのデータとして記憶しても良い。
【符号の説明】
【００４２】
１・・子機、２・・廊下灯、３・・親機、４・・制御装置、５・・発信機、２１・・受信部（受信機）、２２・・廊下灯ＣＰＵ、３１・・ディスプレイ、３２・・親機ＣＰＵ（表示制御部、判定通知部、異常通知制御部）、３４・・操作部、４１・・記憶部（呼出元情報記憶部、レイアウト記憶部、患者情報記憶部、医療・看護データ記憶部、警報設定記憶部、距離記憶部）、４２・・制御装置ＣＰＵ、５１・・通知ボタン、５２・・メモリ、５３・・発信部、５４・・発信機ＣＰＵ。
【図１】
0005385177.tif 000002
【図２】
0005385177.tif 000003
【図３】
0005385177.tif 000004